(57)【要約】【課題】表示装置および表示装置提供方法を提供する。【解決手段】第１表示板と、前記第１表示板と対向して配置され、第１領域および前記第１領域を囲む第２領域を有する一面を含む第２表示板と、前記第２表示板の前記第１領域および前記第２領域の少なくともいずれかに形成され、前記第１表示板と接触する一つ以上の第１スペーサ、および前記第２表示板の前記第１領域および前記第２領域に形成され、前記第１表示板と離隔する一つ以上の第２スペーサを含み、前記第２領域に形成された前記第２スペーサの断面積の合計は、前記第１領域に形成された前記第２スペーサの断面積の面積の合計より小さいかまたは０である表示装置。【選択図】図２
2013045101.tif 000002
【特許請求の範囲】
【請求項１】
第１表示板と、
前記第１表示板と対向して配置され、第１領域および前記第１領域を囲む第２領域を有する一面を含む第２表示板と、
前記第２表示板の前記第１領域および前記第２領域の少なくともいずれかに形成され、前記第１表示板と接触する一つ以上の第１スペーサ、および
前記第２表示板の前記第１領域および前記第２領域に形成され、前記第１表示板と離隔する一つ以上の第２スペーサを含み、
前記第２領域に形成された前記第２スペーサの断面積の合計は、前記第１領域に形成された前記第２スペーサの断面積の面積の合計より小さいかまたは０である表示装置。
【請求項２】
前記第２表示板は、
前記第２表示板の一面のうち前記第１領域の一部面および前記第２表示板の一面のうち前記第２領域の前面上に形成されるブラックマトリックスと、
前記第２表示板の一面および前記ブラックマトリックス上に形成されるカラーフィルタ、および
前記カラーフィルタ上に形成されるコーティング層を含み、
前記第１スペーサおよび前記第２スペーサは前記コーティング層と前記第１表示板の間に形成される請求項１に記載の表示装置。
【請求項３】
前記第２領域に形成された前記第２スペーサの断面積の合計は０である請求項２に記載の表示装置。
【請求項４】
前記第１領域に形成された前記第１スペーサの断面積の合計と前記第２領域に形成された前記第１スペーサの断面積の合計は同一である請求項２に記載の表示装置。
【請求項５】
前記第１領域に形成された前記第１スペーサの断面積の合計は前記第２表示板の一面の面積の４％以下である請求項４に記載の表示装置。
【請求項６】
前記第２領域に形成された前記第１スペーサの断面積の合計は、前記第１領域に形成された前記第１スペーサの断面積の合計より小さい請求項２に記載の表示装置。
【請求項７】
前記第１領域に形成された前記第１スペーサの断面積の合計は、前記第２表示板の一面の面積の４％以下である請求項６に記載の表示装置。
【請求項８】
前記第１領域に形成された前記第１スペーサの断面積の合計は、前記第２表示板の一面の面積の０．１％であり、
前記第２領域に形成された前記第１スペーサの断面積の合計は、前記第２表示板の一面の面積の０．０５％である請求項７に記載の表示装置。
【請求項９】
前記第１領域に形成された前記第２スペーサの断面積の合計は、前記第２表示板の一面の面積の７％以下である請求項２に記載の表示装置。
【請求項１０】
第１表示板と、
前記第１表示板と対向して配置され、第１領域および前記第１領域を囲む第２領域を有する一面を含む第２表示板と、
前記第２表示板の少なくとも前記第１領域に形成され、前記第１表示板と接触する一つ以上の第１スペーサ、および
前記第２表示板の前記第１領域および前記第２領域に形成され、前記第１表示板と離隔する一つ以上の第２スペーサを含み、
前記第２領域に形成された前記第１スペーサの断面積の合計は、前記第１領域に形成された前記第１スペーサの断面積の合計より小さいかまたは０である表示装置。
【請求項１１】
前記第２表示板は、
前記第２表示板の一面のうち前記第１領域の一部面および前記第２表示板の一面のうち前記第２領域の前面上に形成されるブラックマトリックスと、
前記第２表示板の一面および前記ブラックマトリックス上に形成されるカラーフィルタ、および
前記カラーフィルタ上に形成されるコーティング層をさらに含み、
前記第１スペーサおよび前記第２スペーサは前記コーティング層と前記第１表示板との間に形成される請求項１０に記載の表示装置。
【請求項１２】
前記第２領域に形成された前記第１スペーサの断面積の合計は０である請求項１１に記載の表示装置。
【請求項１３】
前記第１領域に形成された前記第２スペーサの断面積の合計と前記第２領域に形成された前記第２スペーサの断面積の合計は同一である請求項１２に記載の表示装置。
【請求項１４】
前記第１領域に形成された前記第２スペーサの断面積の合計は、前記第２表示板の一面の面積の７％以下である請求項１３に記載の表示装置。
【請求項１５】
前記第２領域に形成された前記第２スペーサの断面積の合計は、前記第１領域に形成された前記第２スペーサの断面積の合計より小さい請求項１２に記載の表示装置。
【請求項１６】
前記第１領域に形成された前記第２スペーサの断面積の合計は、前記第２表示板の一面の面積の７％以下である請求項１５に記載の表示装置。
【請求項１７】
前記第１領域に形成された前記第２スペーサの断面積の合計は、前記第２表示板の一面の面積の３．９％であり、
前記第２領域に形成された前記第２スペーサの断面積の合計は、前記第２表示板の一面の面積の２％である請求項１５に記載の表示装置。
【請求項１８】
前記第１領域に形成された前記第１スペーサの断面積の合計は、前記第２表示板の一面の面積の４％以下である請求項１２に記載の表示装置。
【請求項１９】
第１表示板と、
前記第１表示板と対向して配置され、第１領域および前記第１領域を囲む第２領域を有する一面を含む第２表示板と、
前記第２表示板の前記第１領域および前記第２領域に形成され、前記第１表示板と接触する一つ以上の第１スペーサ、および
前記第２表示板の前記第１領域および前記第２領域に形成され、前記第１表示板と離隔する一つ以上の第２スペーサを含み、
前記第２領域に形成された前記第１スペーサの断面積の合計は、前記第１領域に形成された前記第１スペーサの断面積の合計より小さく、
前記第２領域に形成された前記第２スペーサの断面積の合計は、前記第１領域に形成された前記第２スペーサの断面積の合計より小さい表示装置。
【請求項２０】
前記第２表示板は、
前記第２表示板の一面のうち前記第１領域の一部面および前記第２表示板の一面のうち前記第２領域の前面上に形成されるブラックマトリックスと、
前記第２表示板の一面および前記ブラックマトリックス上に形成されるカラーフィルタおよび
前記カラーフィルタ上に形成されるコーティング層をさらに含み、
前記第１スペーサおよび前記第２スペーサは、前記コーティング層と前記第１表示板との間に形成される請求項１９に記載の表示装置。
【請求項２１】
前記第１領域に形成された前記第１スペーサの断面積の合計は、前記第２表示板の一面の面積の４％以下である請求項２０に記載の表示装置。
【請求項２２】
前記第１領域に形成された前記第１スペーサの断面積の合計は、前記第２表示板の一面の面積の０．１％であり、
前記第２領域に形成された前記第１スペーサの断面積の合計は、前記第２表示板の一面の面積の０．０５％である請求項２１に記載の表示装置。
【請求項２３】
前記第１領域に形成された前記第２スペーサの断面積の合計は、前記第２表示板の一面の面積の７％以下である請求項２０に記載の表示装置。
【請求項２４】
前記第１領域に形成された前記第２スペーサの断面積の合計は、前記第２表示板の一面の面積の３．９％であり、
前記第２領域に形成された前記第２スペーサの断面積の合計は、前記第２表示板の一面の面積の２％である請求項２３に記載の表示装置。
【請求項２５】
第１表示板と、
前記第１表示板と対向して配置され、第１領域および前記第１領域を囲む第２領域を有する一面を含む第２表示板と、
前記第２表示板の前記第１領域および前記第２領域に形成される一つ以上の第１スペーサ、および
前記第２表示板の前記第１領域および前記第２領域に形成される一つ以上の第２スペーサを含み、
前記第２領域に形成された前記第１スペーサの断面積の合計は、前記第１領域に形成された前記第１スペーサの断面積の合計より小さく、
前記第２領域に形成された前記第２スペーサの断面積の合計は、前記第１領域に形成された前記第２スペーサの断面積の合計より小さく、
前記第２スペーサの臨界圧力値は前記第１スペーサの臨界圧力値より大きく、
前記臨界圧力値は前記第１表示板または前記第２表示板側から圧力が加えられる場合、スペーサが実際圧力を受け始める値である表示装置。
【請求項２６】
前記第２表示板は、
前記第２表示板の一面のうち前記第１領域の一部面および前記第２表示板の一面のち前記第２領域の前面上に形成されるブラックマトリックスと、
前記第２表示板の一面および前記ブラックマトリックス上に形成されるカラーフィルタおよび
前記カラーフィルタ上に形成されるコーティング層をさらに含み、
前記第１スペーサおよび前記第２スペーサは前記コーティング層と前記第１表示板との間に形成される請求項２５に記載の表示装置。
【請求項２７】
第１表示板と、
前記第１表示板と対向して配置され、第１領域および前記第１領域を囲む第２領域を有する一面を含む第２表示板と、
前記第２表示板の前記第１領域および前記第２領域に形成され、前記第２表示板の一面に対向する他端を含み、前記第１表示板と接触する一つ以上の第１スペーサ、および
前記第２表示板の前記第１領域および前記第２領域に形成され、前記第２表示板の一面に対向する他端を含み、前記第１表示板と離隔する一つ以上の第２スペーサを含み、
前記第２領域に形成された前記第２スペーサの高さは、前記第１領域に形成された前記第２スペーサの高さより小さい表示装置。
【請求項２８】
前記第２領域に形成された前記第２スペーサの他端と前記第１表示板との間の離隔距離は、前記第１領域に形成された前記第２スペーサの他端と前記第１表示板との間の隔離距離より大きい請求項２７に記載の表示装置。
【請求項２９】
前記第２表示板は、
前記第２表示板の一面のうち前記第１領域の一部面および前記第２表示板の一面のうち前記第２領域の前面上に形成されるブラックマトリックスと、
前記第２表示板の一面および前記ブラックマトリックス上に形成されるカラーフィルタおよび
前記カラーフィルタ上に形成されるコーティング層をさらに含み、
前記第１スペーサおよび前記第２スペーサは、前記コーティング層と前記第１表示板との間に形成される請求項２７に記載の表示装置。
【請求項３０】
第１表示板を準備し、
第１領域および前記第１領域を囲む第２領域を有する一面を含む第２表示板を前記第１表示板と対向して配置し、
前記第２表示板の前記第１領域および前記第２領域に前記第１表示板と接触する一つ以上の第１スペーサ、および前記第２表示板の前記第１領域および前記第２領域に前記第１表示板と離隔する一つ以上の第２スペーサを形成することを含み、
前記第１スペーサおよび前記第２スペーサを形成することは、
前記第２表示板の一面上に感光層を塗布し、
前記第１領域および前記第２領域に対する透過率が異なるハーフトーンマスクを使用して前記感光層を露光し、
前記露光によって変成された感光層を除去することを含む表示装置製造方法。
【請求項３１】
前記感光層はネガティブ型の感光物質で構成され、
前記第１領域に対する前記ハーフトーンマスクの透過率は、前記第２領域に対する前記ハーフトーンマスクの透過率より大きい請求項３０に記載の表示装置製造方法。
【請求項３２】
前記第１領域に対する前記ハーフトーンマスクの透過率は３５％であり、
前記第２領域に対する前記ハーフトーンマスクの透過率は３０％である請求項３１に記載の表示装置製造方法。
【請求項３３】
前記感光層はポジティブ型の感光物質で構成され、
前記第１領域に対する前記ハーフトーンマスクの透過率は、前記第２領域に対する前記ハーフトーンマスクの透過率より小さい請求項３０に記載の表示装置製造方法。
【発明の詳細な説明】
【技術分野】
【０００１】
本発明は、表示装置および表示装置製造方法に関する。
【背景技術】
【０００２】
表示装置、特に、液晶表示装置は、一般的に駆動薄膜トランジスタが形成されている薄膜トランジスタ基板、カラーフィルタ層が形成されているカラーフィルタ基板、および薄膜トランジスタ基板とカラーフィルタ基板の間に配置される液晶層を含む。
【０００３】
このような表示装置では、カラーフィルタ基板と薄膜トランジスタ基板の間隔のセルギャップ（ｃｅｌｌ  ｇａｐ）を一定に維持するためにスペーサが使用されている。スペーサとしては、散布方式で噴射して構成される球状のボールスペーサまたはカラーフィルタ基板や薄膜トランジスタ基板に形成される柱状のスペーサ（ｃｏｌｕｍｎ  ｓｐａｃｅｒ）がある。
【発明の概要】
【発明が解決しようとする課題】
【０００４】
本発明が解決しようとする課題は、慢性的な収率低下の問題であるギャップハイ（ｇａｐ  ｈｉｇｈ）現象を防止する表示装置および表示装置提供方法を提供することにある。
【０００５】
本発明が解決しようとする他の課題は、有機ブラックマトリックスを使用する工程適用のための工程条件を確立し、不良制御を可能にするものである。
【０００６】
ただし、本発明の課題は、以上で言及した課題に制限されず、言及されていないまた他の課題は、次の記載から当業者に明確に理解できるであろう。
【課題を解決するための手段】
【０００７】
上記課題を解決するために、本発明のある観点によれば、第１表示板と、前記第１表示板と対向して配置され、第１領域および前記第１領域を囲む第２領域を有する一面を含む第２表示板と、前記第２表示板の前記第１領域および前記第２領域の少なくともいずれかに形成され、前記第１表示板と接触する一つ以上の第１スペーサ、および前記第２表示板の前記第１領域および前記第２領域に形成され、前記第１表示板と離隔する一つ以上の第２スペーサを含み、前記第２領域に形成された前記第２スペーサの断面積の合計は、前記第１領域に形成された前記第２スペーサの断面積の面積の合計より小さいかまたは０である表示装置が提供される。
【０００８】
また、上記課題を解決するために、本発明の別の観点によれば、第１表示板と、前記第１表示板と対向して配置され、第１領域および前記第１領域を囲む第２領域を有する一面を含む第２表示板と、前記第２表示板の少なくとも前記第１領域に形成され、前記第１表示板と接触する一つ以上の第１スペーサ、および前記第２表示板の前記第１領域および前記第２領域に形成され、前記第１表示板と離隔する一つ以上の第２スペーサを含み、前記第２領域に形成された前記第１スペーサの断面積の合計は、前記第１領域に形成された前記第１スペーサの断面積の合計より小さいかまたは０である表示装置が提供される。
【０００９】
また、上記課題を解決するために、本発明の別の観点によれば、第１表示板と、前記第１表示板と対向して配置され、第１領域および前記第１領域を囲む第２領域を有する一面を含む第２表示板と、前記第２表示板の前記第１領域および前記第２領域に形成され、前記第１表示板と接触する一つ以上の第１スペーサ、および前記第２表示板の前記第１領域および前記第２領域に形成され、前記第１表示板と離隔する一つ以上の第２スペーサを含み、前記第２領域に形成された前記第１スペーサの断面積の合計は、前記第１領域に形成された前記第１スペーサの断面積の合計より小さく、前記第２領域に形成された前記第２スペーサの断面積の合計は、前記第１領域に形成された前記第２スペーサの断面積の合計より小さい表示装置が提供される。
【００１０】
また、上記課題を解決するために、本発明の別の観点によれば、第１表示板と、前記第１表示板と対向して配置され、第１領域および前記第１領域を囲む第２領域を有する一面を含む第２表示板と、前記第２表示板の前記第１領域および前記第２領域に形成される一つ以上の第１スペーサ、および前記第２表示板の前記第１領域および前記第２領域に形成される一つ以上の第２スペーサを含み、前記第２領域に形成された前記第１スペーサの断面積の合計は、前記第１領域に形成された前記第１スペーサの断面積の合計より小さく、前記第２領域に形成された前記第２スペーサの断面積の合計は、前記第１領域に形成された前記第２スペーサの断面積の合計より小さく、前記第２スペーサの臨界圧力値は前記第１スペーサの臨界圧力値より大きく、前記臨界圧力値は前記第１表示板または前記第２表示板側から圧力が加えられる場合、スペーサが実際圧力を受け始める値である表示装置が提供される。
【００１１】
また、上記課題を解決するために、本発明の別の観点によれば、第１表示板と、前記第１表示板と対向して配置され、第１領域および前記第１領域を囲む第２領域を有する一面を含む第２表示板と、前記第２表示板の前記第１領域および前記第２領域に形成され、前記第２表示板の一面に対向する他端を含み、前記第１表示板と接触する一つ以上の第１スペーサ、および前記第２表示板の前記第１領域および前記第２領域に形成され、前記第２表示板の一面に対向する他端を含み、前記第１表示板と離隔する一つ以上の第２スペーサを含み、前記第２領域に形成された前記第２スペーサの高さは、前記第１領域に形成された前記第２スペーサの高さより小さい表示装置が提供される。
【００１２】
また、上記課題を解決するために、本発明の別の観点によれば、第１表示板を準備し、第１領域および前記第１領域を囲む第２領域を有する一面を含む第２表示板を前記第１表示板と対向して配置し、前記第２表示板の前記第１領域および前記第２領域に前記第１表示板と接触する一つ以上の第１スペーサ、および前記第２表示板の前記第１領域および前記第２領域に前記第１表示板と離隔する一つ以上の第２スペーサを形成することを含み、前記第１スペーサおよび前記第２スペーサを形成することは、前記第２表示板の一面上に感光層を塗布し、前記第１領域および前記第２領域に対する透過率が異なるハーフトーンマスクを使用して前記感光層を露光し、前記露光によって変成された感光層を除去することを含む表示装置製造方法が提供される。
【発明の効果】
【００１３】
本発明の実施形態によれば少なくとも次のような効果がある。
【００１４】
すなわち、本発明の実施形態による表示装置および表示装置によれば、慢性の収率低下の問題であるギャップハイ現象を防止することができる。また、単純でかつ直ちに適用可能なスペーサ設計案を適用し、品質マージンを確保し、量産工程への適用が容易である表示装置を提供することができる。また、有機ブラックマトリックスを使用する工程に適用するための工程条件を確立し、不良の制御が可能になる。
【００１５】
本発明による効果は、上記例示した内容によって制限されものではなく、さらに多様な効果が本明細書内に含まれている。
【図面の簡単な説明】
【００１６】
【図１】本発明の一実施形態による表示装置のレイアウト図である。
【図２】本発明の一実施形態による表示装置の断面図である。
【図３】本発明の一実施形態による表示装置のレイアウト図である。
【図４】本発明の他の実施形態による表示装置のレイアウト図である。
【図５】本発明の他の実施形態による表示装置の断面図である。
【図６】本発明の多様な実施形態による表示装置のレイアウト図である。
【図７】本発明の多様な実施形態による表示装置のレイアウト図である。
【図８】本発明の多様な実施形態による表示装置のレイアウト図である。
【図９】本発明の他の実施形態による表示装置のレイアウト図である。
【図１０】本発明の他の実施形態による表示装置の断面図である。
【図１１】本発明の他の実施形態による表示装置のレイアウト図である。
【図１２】本発明の他の実施形態による表示装置のレイアウト図である。
【図１３】本発明の他の実施形態による表示装置の断面図である。
【図１４】本発明の多様な実施形態による表示装置のレイアウト図である。
【図１５】本発明の多様な実施形態による表示装置のレイアウト図である。
【図１６】本発明の多様な実施形態による表示装置のレイアウト図である。
【図１７】本発明の他の実施形態による表示装置のレイアウト図である。
【図１８】本発明の他の実施形態による表示装置の断面図である。
【図１９】本発明の他の実施形態による表示装置のレイアウト図である。
【図２０】本発明の他の実施形態による表示装置の断面図である。
【図２１】外部圧力とスペーサが受ける圧力の関係を示すグラフである。
【図２２】図２０に示すＡ領域を拡大した拡大図である。
【図２３】図２０に示すＢ領域を拡大した拡大図である。
【図２４】図２０に示すＢ領域を拡大した拡大図である。
【図２５】本発明の多様な実施形態による表示装置の断面図である。
【図２６】本発明の多様な実施形態による表示装置の断面図である。
【図２７】本発明の一実施形態による表示装置製造方法の順序図である。
【発明を実施するための形態】
【００１７】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１８】
なお、本発明の利点、特徴、およびそれらを達成する方法は、添付される図面と共に詳細に後述される実施形態を参照すれば明確になるであろう。しかし、本発明は、以下で開示される実施形態に限定されるものではなく、互いに異なる多様な形態で具現されることが可能である。本実施形態は、単に本発明の開示が完全になるように、本発明が属する技術分野で通常の知識を有する者に対して発明の範疇を完全に知らせるために提供されるものであり、本発明は、請求項の範疇によってのみ定義される。
【００１９】
素子（ｅｌｅｍｅｎｔｓ）または層が他の素子または層の「上（ｏｎ）」という表現は、他の素子真上にまたは中間に、他の層または他の素子を介在する場合をすべて含む。
【００２０】
第１、第２等が、多様な構成要素を説明するために使用される。しかしながら、これら構成要素は、これらの用語によって制限されないことは言うまでもない。これらの用語は単に一つ構成要素を他構成要素と区別するために使用されるものである。したがって、以下で言及される第１構成要素は、当然に本発明の技術的思想内で第２構成要素であり得る。
【００２１】
以下、添付された図面を参照して本発明の実施形態について説明する。
【００２２】
図１は、本発明の一実施形態による表示装置のレイアウト図である。図２は、本発明の一実施形態による表示装置の断面図である。
【００２３】
図１および図２を参照すると、表示装置は第１表示板、第２表示板および第１表示板と第２表示板との間に介在する複数のスペーサを含む。第１表示板と第２表示板は、相互対向するように配置され、少なくとも一つのスペーサによって第１表示板と第２表示板間との間隔が維持される。
【００２４】
第１表示板および第２表示板は、各々第１絶縁基板１０および第２絶縁基板２０を含んでもよい。例えば、第１絶縁基板１０および第２絶縁基板２０は各々ガラス、または透明なプラスチックからなる。いくつかの実施形態で、第１絶縁基板１０および第２絶縁基板２０のうちいずれか一つは不透明な基板で構成されてもよい。
【００２５】
第１表示板と第２表示板は、各々第１領域２１および第１領域２１を囲む第２領域２２を含んでもよい。第１領域２１は各基板の中央部を占有し、第２領域２２は各基板の周辺部を占有する。第１領域２１は画像を表示する領域を含むことに対し、第２領域２２は画像表示とは関係ない領域であり得る。
【００２６】
第１表示板および第２表示板の第１領域２１は複数の画素領域を含んでもよい。第１表示板の各画素領域と第２表示板の各画素領域は相互一対一対応し、空間的に複数の画素空間を定義することができる。画素領域（または画素空間）は平面上マトリックス形状に配列され得る。
【００２７】
第１表示板の第１絶縁基板１０上には複数の微細素子が形成されてもよい。図示していないが、第１絶縁基板１０の一面上には少なくとも一つの絶縁膜や絶縁パターン、少なくとも一つの導電膜や導電パターンおよび／または半導体層や半導体パターンが形成され得る。
【００２８】
前記少なくとも一つの絶縁膜や絶縁パターンはゲート絶縁膜、層間絶縁膜、パッシベーション膜などを含んでもよい。
【００２９】
前記少なくとも一つの導電膜および／または導電パターンはゲートライン、ゲート電極、維持電極、データライン、ソース電極、ドレーン電極、および画素電極を含んでもよい。
【００３０】
第１表示板の第１領域２１の各画素領域には画素電極が配置されてもよい。ゲート電極、ソース電極およびドレーン電極は半導体パターンと共に複数の薄膜トランジスタを構成することができる。各薄膜トランジスタは画素電極と接続し、画素電極への画素電圧の印加を制御することができる。
【００３１】
第１表示板の第２領域２２にはゲートラインやデータラインのパッドが配置され得る。さらには、第１表示板の第２領域２２にはゲートラインおよび／またはデータラインに電圧を印加するための駆動部が配置され得る。
【００３２】
第２表示板の第２絶縁基板２０上にはカラーフィルタ６０、ダミーカラーフィルタ６０、ブラックマトリックス３０、最外郭ブラックマトリックス３０などが形成され得る。
【００３３】
具体的に説明すると、第２表示板の第１領域２１の各画素領域には複数のカラーフィルタ６０が配置され得る。単一カラーフィルタは一つの色相を表し、複数のカラーフィルタ６０は２以上の色相を表すカラーフィルタを含んでもよい。例えば、複数のカラーフィルタ６０はレッドカラーフィルタ、グリーンカラーフィルタ、およびブルーカラーフィルタを含んでもよい。各色相カラーフィルタは繰り返し、交互に配列され得る。
【００３４】
第２表示板の画素領域の間の境界にはブラックマトリックス３０が配置され画素領域を定義することができる。積層構造上カラーフィルタ６０は第２表示板を基準にブラックマトリックス３０より上位積層膜であり得る。このような構造で各カラーフィルタの周辺部は図２に図示するように一部拡張され、ブラックマトリックス３０上にオーバーラップし得る。ただし、ブラックマトリックス３０上にオーバーラップしたカラーフィルタの周辺部の厚さはレーベリング効果に起因して画素領域内のカラーフィルタの厚さより小さいこともある。
【００３５】
第２表示板の第２領域２２には最外郭ブラックマトリックス３０が配置され得る。最外郭ブラックマトリックス３０は画素領域内のブラックマトリックス３０と実質的に同一物質および／または実質的に同一厚さで形成され得る。ただし、最外郭ブラックマトリックス３０の幅は画素領域内のブラックマトリックス３０より厚いこともある。いくつかの実施形態で、最外郭ブラックマトリックス３０は第２領域２２の全面を覆うように形成され得る。
【００３６】
最外郭ブラックマトリックス３０上にはダミーカラーフィルタ６０が形成され得る。ダミーカラーフィルタ６０は画素領域内のカラーフィルタ６０と実質的に同一物質からなる。ダミーカラーフィルタ６０は例えば、レッドカラーフィルタ、グリーンカラーフィルタ、およびブルーカラーフィルタのうちいずれか一つであり得る。他の例として、ダミーカラーフィルタはレッドカラーフィルタ、グリーンカラーフィルタ、およびブルーカラーフィルタのうち２つ以上を含み、各色相カラーフィルタが同一層内に隣接して配置されてもよい。
【００３７】
ダミーカラーフィルタ６０の厚さは画素領域内のカラーフィルタ６０と実質的に同一であり、前述したように、ブラックマトリックス３０上にオーバーラップしたカラーフィルタ６０の周辺部の厚さより大きいこともある。したがって、第２絶縁基板２０から第２領域２２のダミーカラーフィルタ６０の表面までの距離は、第２絶縁基板２０から画素領域内のカラーフィルタ６０表面までの距離だけでなく、カラーフィルタ６０周辺部の表面までの距離よりも大きいこともある。すなわち、ブラックマトリックス３０、最外郭ブラックマトリックス３０、カラーフィルタ６０、およびダミーカラーフィルタ６０からなる群のうち第２絶縁基板２０から最も遠く離れたところはダミーカラーフィルタ６０の表面であり得る。第１表示板が第２表示板と実質的に平行するように配置されると仮定すると、ダミーカラーフィルタ６０の表面は前記群のうち第１表示板からの離隔距離が最も短い位置に値する。
【００３８】
第１表示板と第２表示板との間には複数のスペーサが介在する。複数のスペーサは第１表示板と第２表示板のアセンブリによる加圧を除いては他の追加の加圧がない状態で第１表示板および第２表示板に各々接触する一つ以上の第１スペーサ４０および第１表示板と第２表示板のうちいずれか一つに接触して他の一つに離隔する一つ以上の第２スペーサ５０を含んでもよい。
【００３９】
第１スペーサ４０および第２スペーサ５０は柱型スペーサであり得る。柱型スペーサの例としては、円筒形スペーサまたは多角柱型スペーサがある。この場合、第１スペーサ４０および第２スペーサ５０の水平断面は切る平面に関係なく実質的に一定のサイズおよび形状を有することができる。しかし、本発明がこれに制限されるものではなく、水平断面により他の形状を有するかまたは他のサイズを有してもよい。
【００４０】
第１スペーサ４０と第２スペーサ５０は、これに制限されるものではないが、有機感光物質などからなる。第１スペーサ４０と第２スペーサ５０が同一物質で形成され得るが、後述するように相互機能が異なることを考慮すると、異なる物質で形成され得る。例えば、第２スペーサ５０は第１スペーサ４０より硬度が高い物質で形成され得る。
【００４１】
第１スペーサ４０の一応第１表示板および第２表示板のうち一つに取り付けされるかまたは接着されるが、第１スペーサ４０の他端は第１表示板および第２表示板のうち他の一つに取り付けられず、単に接触し得る。図２は、第１スペーサ４０が第２表示板上に形成され、その一側が第２表示板に取り付けらており、第１表示板にはその他側が単に接触する場合を例示する。第１スペーサ４０は、第１表示板と第２表示板のアセンブリによる加圧を除いて他の追加の加圧がない状態で第１表示板と第２表示板のセルギャップを第１間隔で維持する役割を果たす。
【００４２】
第１スペーサ４０は第２表示板の第１領域２１および第２領域２２に各々一つ以上配置され得る。
【００４３】
第１領域２１の第１スペーサ４０はブラックマトリックス３０とオーバーラップするように配置され得る。第１領域２１で第１スペーサ４０はブラックマトリックス３０の真上に配置され得るが、ブラックマトリックス３０上にカラーフィルタ６０の周辺部がオーバーラップしている場合、カラーフィルタ６０の周辺部上に配置される。
【００４４】
第２領域２２の第１スペーサ４０は最外郭ブラックマトリックス３０とオーバーラップされるように配置され得る。いくつかの実施形態で、第２領域２２の最外郭ブラックマトリックス３０上にダミーカラーフィルタ６０が配置されるため、第１スペーサ４０はダミーカラーフィルタ６０上に配置され得る。
【００４５】
第１表示板の表面が実質的に平坦であると仮定する場合、第２表示板の第２領域２２のダミーカラーフィルタ６０表面と第１表示板の離隔距離が第１領域２１のカラーフィルタ６０またはカラーフィルタ６０の周辺部の表面と第１表示板の離隔距離より小さいため、第２領域２２に配置された第１スペーサ４０の長さは第１領域２１に配置された第１スペーサ４０の長さより小さいこともある。
【００４６】
第２スペーサ５０は第２表示板の第１領域２１および第２領域２２に各々一つ以上配置され得る。第２スペーサ５０の配置もまた第１スペーサ４０と実質的に同一であり得る。すなわち、第１領域２１で第２スペーサ５０はブラックマトリックス３０またはカラーフィルタ６０の周辺部上に配置され得る。また、第２領域２２で第２スペーサ５０は最外郭マトリックスまたはダミーカラーフィルタ６０上に配置され得る。
【００４７】
第２スペーサ５０は第１領域２１および第２領域２２と関係なく、その長さが実質的に同一であり得る。前述したように、第１領域２１のカラーフィルタ６０周辺部と第１表示板の距離より第２領域２２のダミーカラーフィルタ６０と第１表示板の距離がさらに短いため、第２スペーサ５０の他端と第１表示板との離隔距離は第２領域２２が第１領域２１より小さいこともある。
【００４８】
一方、第２スペーサ５０は第１表示板と第２表示板のアセンブリによる加圧以外に他の追加の加圧がない状態では第１表示板から離隔するが、追加の加圧がある場合には他端が第１表示板に接触し、第１表示板と第２表示板のセルギャップを、第２間隔（第１間隔より小さい）を維持する役割を果たす。このとき、第１スペーサ４０は所定のストレスを受けて収縮し得る。スペーサの圧縮ストレスについては後述する。
【００４９】
いくつかの実施形態で、第２絶縁基板２０に平行な一平面で切断した第１領域２１の第１スペーサ４０の断面積の総合計は、同一平面で切断した第２領域２２の第１スペーサ４０の断面積の総合計と実質的に同一であり得る。断面積の合計は第２表示板の第１領域２１および第２領域２２を区分せず単位第１スペーサ４０の断面積が各々同一であると仮定するとき、上記のような関係は第１領域２１と第２領域２２に第１スペーサ４０の個数を同一に配列することによって実現することができる。
【００５０】
いくつかの実施形態で、第１領域２１の第１スペーサ４０の断面積の合計は、第２表示板の一面の面積、すなわち、第２表示板の第１領域２１および第２領域２２の面積の合計の約４％以下であり得る。
【００５１】
他の代替例として、第１スペーサ４０を第２絶縁基板２０上に投影した際の占有する面積を投影面積と定義すると、第１領域２１の第１スペーサ４０の投影面積の総合計は、第２領域２２の第１スペーサ４０の投影面積の総合計と実質的に同一であり得る。これは第１スペーサ４０が切断平面と関係なく、断面が一定の柱型スペーサである場合、前述した実施形態と実質的に同一の意味を有する。
【００５２】
いくつかの実施形態で、第２絶縁基板２０に平行な一平面で切断した第１領域２１の第１スペーサ４０の断面積の総合計は、同一な平面で切断した第２領域２２の第１スペーサ４０の断面積の総合計より大きいこともある。断面積の合計は、第２表示板の第１領域２１および第２領域２２の区分なしに単位第１スペーサ４０の断面積が各々同一であると仮定すると、上記のような関係は第１領域２１と第２領域２２に第１スペーサ４０の個数を同一に配列することによって実現することができる。
【００５３】
いくつかの実施形態で、第１領域２１の第１スペーサ４０の断面積の合計は、第２表示板の一面の面積の合計の約４％以下であり得る。いくつかの実施形態で、第１領域２１の第１スペーサ４０の断面積の合計は、第２表示板の一面の面積の約０．１％であり得、第２領域２２の第１スペーサ４０の断面積の合計は、第２表示板の一面の面積の約０．０５％であり得る。
【００５４】
一方、いくつかの実施形態で、第２絶縁基板２０に平行な一平面で切断した第１領域２１の第２スペーサ５１の断面積の総合計は、同一な平面で切断した第２領域２２の第２スペーサ５２の断面積の総合計より大きいこともある。第１領域２１および第２領域２２の第２スペーサ（５１、５２）の個数が同じであると仮定すると、上記のような関係は例えば、第２領域２２の第２スペーサ５２の断面積より第１領域２１の第２スペーサ５１の断面積をより大きくすることにより実現することができる（ａ＞ｂ）。
【００５５】
第２領域２２の第２スペーサ５２の断面積の総合計が相対的に小さければ、加圧時の表示板の反りを軽減し、表示画面のしみが生じることを緩和することができる。より具体的に説明すると、第１表示板と第２表示板が人為的に押すことなどにより追加に加圧されるとき、第１スペーサ４０が収縮し、第１表示板と第２表示板との間隔が小さくなる。このとき、第１表示板を基準に、第１領域２１の第２スペーサ５１の他端より第２領域２２の第２スペーサ５２の他端の方が、離隔距離が小さいため、第２領域２２の他端が第１表示板に先に接触する確率が高い。継続する加圧により第１領域２１の第２スペーサ５１の他端が第１表示板に接触すると、その間第２領域２２の第２スペーサ５２が継続的な圧力を受け、過度な圧縮ストレスを受け得る。第２スペーサ５０の硬度が高い場合、加圧によって第２領域２２の第２スペーサ５２がこれ以上離隔空間を減らすことができない場合もある。この場合、第２領域２２のセルギャップが第１領域２１のセルギャップより大きくなり、第１表示板および／または第２表示板が反り得る。さらには、第１表示板および／または第２表示板が反りにより光入射方向や液晶分子の配列などが変わり、表示画像にしみが発生し得る。
【００５６】
本実施形態の場合のように、第１領域２１の第２スペーサ５１の個数と第２領域２２の第２スペーサ５２の個数が同じであっでも、第１領域２１より第２領域２２の単位第２スペーサの断面積が小さければ、第２領域２２の第２スペーサ５２の絶対的な硬度が低くなり、第２領域２２の第２スペーサ５２が圧力により第１表示板および／または第２表示板が反る程度を軽減させることができる。したがって、表示画像のしみも緩和することができる。
【００５７】
本実施形態の他の代替例として、第２スペーサ５０を第２絶縁基板２０上に投影した際の占有する面積を投影面積と定義すると、第１領域２１の第２スペーサ５１の投影面積の総合計は、第２領域２２の第２スペーサ５２の投影面積の総合計より大きいこともある。これは第２スペーサ５０が切断平面と関係なく、断面が一定の柱型スペーサである場合、前述した実施形態と実質的に同一意味を有する。類似の観点からのまた他の代替例として、追加の加圧がない状態で第１領域２１の第２スペーサ５１の他端の面積の総合計は、第２領域２２の第２スペーサ５２の他端の面積の総合計より大きいこともある。
【００５８】
いくつかの実施形態で、第１領域２１の第２スペーサ５１の断面積の合計は、第２表示板の一面の面積の約７％以下であり得る。
【００５９】
本発明の一実施形態による表示装置が液晶表示装置として適用される場合、第１スペーサ４０および第２スペーサ５０によりセルギャップが維持される第１表示板と第２表示板との間の空間内に液晶層（図示せず）が介在し得る。
【００６０】
本発明の一実施形態による表示装置は、表示装置の内部を密封するために第１表示板と第２表示板との間に密封部材（図示せず）をさらに含んでもよい。
【００６１】
図３は、本発明の一実施形態による表示装置のレイアウト図である。
【００６２】
図３を参照すると、第２絶縁基板２０に平行な平面で切断した第１領域２１の第２スペーサ５１の断面積の総合計は、同一な平面で切断した第２領域２２の第２スペーサ５３の断面積の総合計より大きいこともある。図３に図示するように、第１領域２１および第２領域２２を区分せず、第２スペーサ（５１、５３）の断面積が同一であると仮定すると、例えば、第１領域２１および第２領域２２の第２スペーサ（５１、５３）の断面が正四角形であり、一辺の長さがａで同一であれば、上記のような関係は例えば、第２領域２２の第２スペーサ５３の個数を第１領域２１の第２スペーサ５１の個数より少なくすることによって実現することができる。
【００６３】
図４は、本発明の他の実施形態による表示装置のレイアウト図である。図５は、本発明の他の実施形態による表示装置の断面図である。
【００６４】
図４および図５を参照すると、第２領域２２の第２スペーサの断面積の合計は、０であり得る。上記のような関係は例えば、図４および図５に図示するように、第２領域２２に第２スペーサを形成しないことによって実現することができる。第２領域２２の第２スペーサの断面積のハプが０であることを除けば、図１および図２と同一であるため、重複する説明は省略する。
【００６５】
第２領域２２の第２スペーサを形成しないことによって、ギャップハイ（ｇａｐ  ｈｉｇｈ）現状が生じることを誘発する根本的な原因を除去することができる。したがって、第１表示板および／または第２表示板が反りにより生じ得る表示画像のしみも緩和させることができる。
【００６６】
図６は、本発明の他の実施形態による表示装置のレイアウト図である。
【００６７】
図６を参照すると、第２絶縁基板２０に平行な平面で切断した第１領域２１の第１スペーサ４０の断面積の総合計は、同一な平面で切断した第２領域２２の第１スペーサ４０の断面積の総合計と実質的に同一であり得る。第１領域２１および第２領域２２を区分せず、第１スペーサ４０の断面積が各々同一であると仮定すると、例えば、第１領域２１および第２領域２２の第１スペーサ４０の断面が正四角形であり、一辺の長さがａで同一であれば、上記のような関係は例えば、第１領域２１と第２領域２２に第１スペーサ４０の個数を同一に配列することによって実現することができる。
【００６８】
図７は、本発明の他の実施形態による表示装置のレイアウト図である。
【００６９】
図７を参照すると、第２絶縁基板２０に平行な平面で切断した第１領域２１の第１スペーサ４１の断面積の総合計は、同一な平面で切断した第２領域２２の第１スペーサ４２の断面積の総合計と実質的に同一であり得る。第１領域２１の第１スペーサ４１の断面積が第２領域２２の第１スペーサ４２の断面積より大きいと仮定すると、例えば、第１領域２１および第２領域２２の第１スペーサ（４１、４２）の断面が正四角形であり、第１領域２１の第１スペーサの断面４１の一辺の長さが第２領域２２の第１スペーサ４２の断面の一辺の長さより大きければ（ａ＞ｃ）、上記のような関係は例えば、第２領域２２の第１スペーサ４２の個数を第１領域２１の第１スペーサ４１の個数より大きくすることにより実現することができる。
【００７０】
図８は、本発明の他の実施形態による表示装置のレイアウト図である。
【００７１】
図８を参照すると、第２絶縁基板２０に平行な平面で切断した第１領域２１の第１スペーサ４１の断面積の総合計は、同一な平面で切断した第２領域２２の第１スペーサ４２の断面積の総合計より大きいこともある。第１領域２１の第１スペーサ４１の個数と第２領域２２の第１スペーサ４２の個数が同一であると仮定するとき、上記のような関係は例えば、第１領域２１の第１スペーサ４１の断面積が第２領域２２の第１スペーサ４２の断面積より大きくすることにより実現することができる。例えば、図８に図示するように、第１領域２１および第２領域２２の第１スペーサ（４１、４２）の断面が正四角形であり、第１領域２１の第１スペーサ４１の断面の一辺の長さが第２領域２２の第１スペーサ４２の断面の一辺の長さより大きくなるようにすることにより（ａ＞ｃ）実現することができる。
【００７２】
図９は、本発明の他の実施形態による表示装置のレイアウト図である。図１０は、本発明の他の実施形態による表示装置の断面図である。図９および図１０を参照すると、表示装置は第１表示板、第２表示板および第１表示板と第２表示板の間に介在する複数のスペーサを含む。第１表示板、第２表示板および複数のスペーサは図１および図２の第１表示板、第２表示板および複数のスペーサと同一であるため、重複する説明は省略する。
【００７３】
図９および図１０を参照すると、第２絶縁基板２０に平行な一平面で切断した第１領域２１の第１スペーサ４１の断面積の総合計は、同一な平面で切断した第２領域２２の第１スペーサ４３の断面積の総合計より大きいこともある。第１領域２１の第１スペーサ４１の個数と第２領域２２の第１スペーサ４３の個数が同一であると仮定すると、上記のような関係は例えば、第１領域２１の第１スペーサ４１の断面積が第２領域２２の第１スペーサ４３の断面積より大きくすることにより実現することができる。例えば、図９および図１０に図示するように、第１領域２１および第２領域２２の第１スペーサ（４１、４３）の断面が正四角形であり、第１領域２１の第１スペーサ４１の断面の一辺の長さが第２領域２２の第１スペーサ４３の断面の一辺の長さより大きくすることにより（ａ＞ｄ）実現することができる。いくつかの実施形態で、第１領域２１の第１スペーサ４１の断面積の合計は、第２表示板の一面の面積の約４％以下であり得る。
【００７４】
第２絶縁基板２０に平行な一平面で切断した第１領域２１の第２スペーサ５３の断面積の総合計は、同一な平面で切断した第２領域２２の第２スペーサ５３の断面積の総合計と同一であり得る。第１領域２１の第２スペーサ５３の個数と第２領域２２の第２スペーサ５３の個数が同一であると仮定すると、上記のような関係は例えば、第１領域２１の第２スペーサ５３の断面積と第２領域２２の第２スペーサ５３の断面積を同一にすることにより実現することができる。例えば、図９および図１０に図示するように、第１領域２１および第２領域２２の第２スペーサ５３の断面が正四角形であり、第１領域２１の第２スペーサ５３の断面の一辺の長さが第２領域２２の第２スペーサ５３の断面の一辺の長さと同一にすることにより実現することができる。いくつかの実施形態で、第１領域２１の第２スペーサ５３の断面積の合計は、第２表示板の一面の面積の約７％以下であり得る。
【００７５】
図１１は、本発明の他の実施形態による表示装置のレイアウト図である。
【００７６】
図１１を参照すると、第２絶縁基板２０に平行な一平面で切断した第１領域２１の第１スペーサ４１の断面積の総合計は、同一な平面で切断した第２領域２２の第１スペーサ４３の断面積の総合計より大きいこともある。図１１に図示するように、第１領域２１および第２領域２２を区別せず、第１スペーサ（４１、４３）の断面積が同一であると仮定すると、例えば、第１領域２１および第２領域２２の第１スペーサ（４１、４３）の断面が正四角形であり、一辺の長さが同一であれば、上記のような関係は例えば、第２領域２２の第１スペーサ４３の個数を第１領域２１の第１スペーサ４１の個数より少なくすることにより実現することができる。
【００７７】
図１２は、本発明の他の実施形態による表示装置のレイアウト図である。図１３は、本発明の他の実施形態による表示装置の断面図である。
【００７８】
図１２および図１３を参照すると、第２領域２２の第１スペーサの断面積の合計は０であり得る。上記のような関係は例えば、図１２および図１３に図示するように、第２領域２２に第１スペーサを形成しないことにより実現することができる。第２領域２２の第１スペーサの断面積の合計が０であることを除けば、図１および図２と同一であるため、重複する説明は省略する。
【００７９】
第２領域２２の第１スペーサを形成しないことによって、ギャップハイ（ｇａｐ  ｈｉｇｈ）現象とギャップロー（ｇａｐ  ｌｏｗ）現象に対するマージンをいずれも確保することができる。したがって、第１表示板および／または第２表示板が反りにより生じ得る表示画像のしみも緩和させることができる。
【００８０】
図１４は、本発明の他の実施形態による表示装置のレイアウト図である。
【００８１】
図１４を参照すると、第２絶縁基板２０に平行な一平面で切断した第１領域２１の第２スペーサ５３の断面積の総合計は、同一な平面で切断した第２領域２２の第２スペーサ５３の断面積の総合計と実質的に同一であり得る。第１領域２１および第２領域２２を区別せず、第２スペーサ５３の断面積が各々同一であると仮定すると、例えば、第１領域２１および第２領域２２の第２スペーサ５３の断面が正四角形であり、一辺の長さがａで同一であれば、上記のような関係は例えば、第１領域２１と第２領域２２に第２スペーサ５３の個数を同一に配列することによって実現することができる。
【００８２】
図１５は、本発明の他の実施形態による表示装置のレイアウト図である。
【００８３】
図１５を参照すると、第２絶縁基板２０に平行な一平面で切断した第１領域２１の第２スペーサ５３の断面積の総合計は、同一な平面で切断した第２領域２２の第２スペーサ５４の断面積の総合計と実質的に同一であり得る。第１領域２１の第２スペーサ５３の断面積が第２領域２２の第２スペーサ５４の断面積より大きいと仮定すると、例えば、第１領域２１および第２領域２２の第１スペーサ（５３、５４）の断面が正四角形であり、第１領域２１の第２スペーサ５３の断面の一辺の長さが第２領域２２の第２スペーサ５４の断面の一辺の長さより大きければ（ａ＞ｅ）、前記のような関係は例えば、第２領域２２の第２スペーサ５４の個数を第１領域２１の第２スペーサ５３の個数より多くすることにより実現することができる。
【００８４】
図１６は、本発明の他の実施形態による表示装置のレイアウト図である。
【００８５】
図１６を参照すると、第２絶縁基板２０に平行な一平面で切断した第１領域２１の第２スペーサ５３の断面積の総合計は、同一な平面で切断した第２領域２２の第２スペーサ５４の断面積の総合計より大きいこともある。第１領域２１の第２スペーサ５３の個数と第２領域２２の第２スペーサ５４の個数が同一であると仮定すると、上記のような関係は例えば、第１領域２１の第２スペーサ５３の断面積が第２領域２２の第２スペーサ５４の断面積より大きくすることにより実現することができる。例えば、図１６に図示するように、第１領域２１および第２領域２２の第２スペーサ（５３、５４）の断面が正四角形であり、第１領域２１の第２スペーサ５３の断面の一辺の長さが第２領域２２の第２スペーサ５４の断面の一辺の長さより大きくすることにより（ａ＞ｅ）実現することができる。いくつかの実施形態で、第１領域２１の第２スペーサ５３の断面積の総合計は、第２表示板の一面の面積の約７％以下であり得る。
【００８６】
いくつかの実施形態で、第１領域２１の第２スペーサ５３の断面積の総合計は、第２表示板の一面の面積の約３．９％であり得、第２領域２２の第２スペーサ５４の断面積の総合計は、第２表示板の一面の面積の約２％であり得る。
【００８７】
図１７は、本発明の他の実施形態による表示装置のレイアウト図である。図１８は、本発明の他の実施形態による表示装置の断面図である。図１７および図１８を参照すると、表示装置は第１表示板、第２表示板および第１表示板と第２表示板との間に介在する複数のスペーサを含む。第１表示板、第２表示板および複数のスペーサは図１および図２の第１表示板、第２表示板および複数のスペーサと同一であるため、重複する説明は省略する。
【００８８】
第２絶縁基板２０に平行な一平面で切断した第１領域２１の第１スペーサ４１の断面積の総合計は、同一な平面で切断した第２領域２２の第１スペーサ４５の断面積の総合計より大きいこともある。第１領域２１の第１スペーサ４１の個数と第２領域２２の第１スペーサ４５の個数が同一であると仮定するとき、上記のような関係は例えば、第１領域２１の第１スペーサ４１の断面積が第２領域２２の第１スペーサ４５の断面積より大きくすることにより実現することができる。例えば、図１７および図１８に図示するように、第１領域２１および第２領域２２の第１スペーサ（４１、４５）の断面が正四角形であり、第１領域２１の第１スペーサ４１の断面の一辺の長さが第２領域２２の第１スペーサ４５の断面の一辺の長さより大きくすることにより（ａ＞ｂ）実現することができる。
【００８９】
第２絶縁基板２０に平行な一平面で切断した第１領域２１の第２スペーサ５３の断面積の総合計は、同一な平面で切断した第２領域２２の第２スペーサ５５の断面積の総合計より大きいこともある。第１領域２１の第２スペーサ５３の個数と第２領域２２の第２スペーサの個数が同一であると仮定すると、上記のような関係は例えば、第１領域２１の第２スペーサ５３の断面積が第２領域２２の第２スペーサ５５の断面積より大きくすることにより実現することができる。例えば、図１７および図１８に図示するように、第１領域２１および第２領域２２の第２スペーサ（５３、５５）の断面が正四角形であり、第１領域２１の第２スペーサ５３の断面の一辺の長さが第２領域２２の第２スペーサ５５の断面の一辺の長さより大きくすることにより（ａ＞ｂ）実現することができる。
【００９０】
図１９は、本発明の他の実施形態による表示装置のレイアウト図である。
【００９１】
図１９を参照すると、第１領域２１の第１スペーサ４１の個数が第２領域２２の第１スペーサ４５の個数より多い点と、第１領域２１の第２スペーサ５３の個数が第２領域２２の第２スペーサ５５の個数より多い点を除けば、図１７と同一であるため、重複する説明は省略する。
【００９２】
図２０は、本発明の他の実施形態による表示装置の断面図である。図２１は、外部圧力とスペーサが受ける圧力の関係を示すグラフである。図２２は、図２０のＡ領域を拡大した拡大図である。図２３および図２４は、図２０に示すＢ領域を拡大した拡大図である。図２０を参照すると、表示装置は第１表示板、第２表示板および第１表示板と第２表示板との間に介在する複数のスペーサを含む。第１表示板、第２表示板および複数のスペーサは、図１８の第１表示板、第２表示板および複数のスペーサと同一であるため、重複する説明は省略する。
【００９３】
臨界圧力値（Ｐｔｈ）は、表示装置の外部から圧力が加えられる場合、例えば、第１表示板または第２表示板側から垂直に圧力が加えられる場合、各スペーサが実際圧力を受け始める時点の圧力値を意味する。第２スペーサ４５の臨界圧力値（Ｐｔｈ２）は第１スペーサ４１の臨界圧力値（Ｐｔｈ１）より大きいこともある。
【００９４】
図２２を参照すると、第１スペーサ４１の一端第２表示板に取り付けられているかまたは接着されており、第１スペーサ４１の他端は第１表示板に接触している。したがって、表示装置の外側から圧力を加える場合、第１スペーサ４１は直ちに圧縮ストレスを受け得、収縮し得る。すなわち、第１スペーサ４１は第１表示板または第２表示板側から圧力が加えられる瞬間から圧力ストレスを受けるため、第１スペーサの臨界圧力値（Ｐｔｈ１）は０である。
【００９５】
図２３および図２４を参照すると、第２スペーサ５３の一端は第２表示板に取り付けられているかまたは接着されており、第２スペーサ５３の他端は第１表示板に接触していない。したがって、表示装置の外側から圧力を加える場合、第２スペーサ５３は第２スペーサ５３が第１表示板と接触するときまで圧縮ストレスを受けなく、第２スペーサ５３が第１表示板と接触する瞬間から圧縮ストレスを受ける。したがって、第２スペーサ５３の臨界圧力値（Ｐｔｈ２）は０より大きい値を有する。
【００９６】
図２１は、外部圧力とスペーサが受ける圧力の関係を示すグラフである。図２１を参照すると、左側に図示する線は、外部圧力と第１スペーサ４１が受ける圧力の関係を示すグラフであり、右側に図示する線は外部圧力と第２スペーサ５３が受ける圧力の関係を示すグラフである。前述したように第１スペーサ４１は第１表示板または第２表示板側から圧力が加えられる瞬間から圧力ストレスを受けるため、第１スペーサ４１の臨界圧力値（Ｐｔｈ１）は０であることがわかる。また、前述したように、第２スペーサ５３は第１表示板または第２表示板側から圧力が加えられる瞬間から第２スペーサ５３が第１表示板に接触するときまでは圧縮ストレスを受けないため、第２スペーサ５３の臨界圧力値（Ｐｔｈ２）は０より大きい値を有する。
【００９７】
図２５は、本発明の他の実施形態による表示装置の断面図である。図２５を参照すると、第２領域２２の第２スペーサ５７の高さ（ｈ２）が第１領域２１の第２スペーサ５６の高さ（ｈ１）より小さいことを除けば、図２と同一であるため、重複する説明は省略する。第２領域２２の第２スペーサ５７の高さ（ｈ２）を第１領域２１の第２スペーサ５６の高さ（ｈ１）より小さく形成する方法については後述する。
【００９８】
図２６は、本発明の他の実施形態による表示装置の断面図である。
【００９９】
図２６を参照すると、第１スペーサは第２表示板の一面に対向する他端を含み、第２スペーサ（５６、５７）は第２表示板の一面に対向する他端を含んでもよく、第２領域２２の第２スペーサの５７の他端と第２表示板との間の隔離距離（Ｄ２）は第１領域２１の第２スペーサ５６の他端と第２表示板との間の隔離距離（Ｄ１）より大きい場合もある点を除けば、図２と同一であるため、重複する説明は省略する。第２領域２２の第２スペーサ５７の他端と第２表示板との間の隔離距離（Ｄ２）を第１領域２１の第２スペーサ５６の他端と第２表示板との間の隔離距離（Ｄ１）より大きく形成する方法については後述する。
【０１００】
図２７は、本発明の一実施形態による表示装置製造方法の順序図である。
【０１０１】
本実施形態による表示装置製造方法は、第１表示板を準備する（Ｓ１０）。第１表示板は、図１から図２６を参照して説明した第１表示板と同一であるため、重複する説明は省略する。
【０１０２】
続いて、第１領域および第１領域を囲む第２領域を有する一面を含む第２表示板を第１表示板と対向して配置する（Ｓ２０）。第２表示板は、図１〜図２６を参照して説明した第２表示板と同一であるため、重複する説明を省略する。
【０１０３】
続いて、第２表示板の第１領域および第２領域に第１表示板と接触する一つ以上の第１スペーサおよび第２表示板の第１領域および第２領域に第１表示板と離隔する一つ以上の第２スペーサを形成する（Ｓ３０）。
【０１０４】
第１スペーサおよび第２スペーサを形成することは、第２表示板の一面上に感光層を塗布し、第１領域および第２領域に対する透過率が異なるハーフトーンマスクを使用して感光層を露光し、露光によって変成された感光層を除去することを含んでもよい。第１領域および第２領域に対する透過率が異なるハーフトーンマスクを使用して露光することによって、第１領域の第２スペーサおよび第２領域の第２スペーサの高さを異なるように形成することができ、第１領域の第２スペーサと第１表示板との間の隔離距離および第２領域の第２スペーサと第１表示板との間の隔離距離を異なるように形成することができる。
【０１０５】
いくつかの実施形態で、感光層はネガティブ型感光物質で構成され得る。この場合、第１領域に対するハーフトーンマスクの透過率は第２領域に対するハーフトーンマスクの透過率より大きいこともある。例えば、第１領域に対するハーフトーンマスクの透過率は約３５％であり得、第２領域に対するハーフトーンマスクの透過率は約３０％であり得る。
【０１０６】
他の実施形態で、感光層はポジティブ型感光物質で構成され得、この場合、第１領域に対するハーフトーンマスクの透過率は第２領域に対するハーフトーンマスクの透過率より小さいこともある。
【０１０７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１０８】
１０    第１絶縁基板
２０    第２絶縁基板
２１    第１領域
２２    第２領域
３０    ブラックマトリックス
４０、４１、４２、４３、４４、４５    第１スペーサ
５０、５１、５２、５３、５４、５５、５６、５７    第２スペーサ
６０    カラーフィルタ
【図１】
2013045101.tif 000003
【図２】
2013045101.tif 000004
【図３】
2013045101.tif 000005
【図４】
2013045101.tif 000006
【図５】
2013045101.tif 000007
【図６】
2013045101.tif 000008
【図７】
2013045101.tif 000009
【図８】
2013045101.tif 000010
【図９】
2013045101.tif 000011
【図１０】
2013045101.tif 000012
【図１１】
2013045101.tif 000013
【図１２】
2013045101.tif 000014
【図１３】
2013045101.tif 000015
【図１４】
2013045101.tif 000016
【図１５】
2013045101.tif 000017
【図１６】
2013045101.tif 000018
【図１７】
2013045101.tif 000019
【図１８】
2013045101.tif 000020
【図１９】
2013045101.tif 000021
【図２０】
2013045101.tif 000022
【図２１】
2013045101.tif 000023
【図２２】
2013045101.tif 000024
【図２３】
2013045101.tif 000025
【図２４】
2013045101.tif 000026
【図２５】
2013045101.tif 000027
【図２６】
2013045101.tif 000028
【図２７】
2013045101.tif 000029